(57)【要約】【課題】テレビ放送視聴中において、視聴者が気になった言葉を字幕データから切り出して、その言葉に関連する情報をインターネット等で検索可能とする表示装置を提供する。【解決手段】テレビ装置１は、字幕データを含むデジタル放送信号を受信するデジタル放送用チューナ１０２と、デジタル放送信号から字幕データを抽出する情報抽出部１０８と、字幕データから検索語候補を抽出する検索語候補抽出部１０４と、抽出した検索語候補を記憶する情報記憶部１１３と、デジタル放送信号の番組視聴中にユーザからの検索要求を受け付けるリモコン受信部１１０と、検索要求を受け付けたときの字幕データの時間軸上の位置に基づいて情報記憶部１１３から検索語候補を抽出しユーザ選択可能にＯＳＤ表示するＯＳＤ生成部１０９とを備える。テレビ装置１は、ＯＳＤ上でユーザ選択された検索語に基づいて、ユーザにより指定された検索サイトを検索する。【選択図】図１
2009141858.tif 000002
【特許請求の範囲】
【請求項１】
字幕データを含むデジタル放送信号を受信する受信手段と、該受信したデジタル放送信号から字幕データを抽出する字幕データ抽出手段と、該抽出した字幕データから検索語候補を抽出する検索語候補抽出手段と、該抽出した検索語候補を記憶する記憶手段と、前記デジタル放送信号の番組視聴中にユーザからの検索要求を受け付ける検索要求受付手段と、該検索要求を受け付けたときの前記字幕データの時間軸上の位置に基づいて前記記憶手段から検索語候補を抽出しユーザ選択可能にＯＳＤ表示するＯＳＤ手段とを備え、
前記ＯＳＤ上でユーザ選択された検索語候補を検索語として決定することを特徴とする表示装置。
【請求項２】
請求項１に記載の表示装置において、前記検索語候補抽出手段は、前記字幕データから自立語単位または単語単位で検索語候補を抽出し、該抽出した検索語候補を所定量ずつ前記記憶手段に記憶・更新することを特徴とする表示装置。
【請求項３】
請求項１に記載の表示装置において、前記検索語候補抽出手段は、前記字幕データから自立語単位または単語単位で検索語候補を抽出すると共に、前記受信手段で受信された番組のジャンルを該番組の番組情報から取得し、該取得したジャンルに基づいて、前記記憶手段に記憶する検索語候補の量を調整することを特徴とする表示装置。
【請求項４】
字幕データを含むデジタル放送信号を受信する受信手段と、該受信したデジタル放送信号から字幕データを抽出する字幕データ抽出手段と、該抽出した字幕データを記憶する記憶手段と、前記デジタル放送信号の番組視聴中にユーザからの検索要求を受け付ける検索要求受付手段と、該検索要求を受け付けたときの前記字幕データの時間軸上の位置に基づいて該字幕データから検索語候補を抽出する検索語候補抽出手段と、該抽出した検索語候補をユーザ選択可能にＯＳＤ表示するＯＳＤ手段とを備え、
前記ＯＳＤ上でユーザ選択された検索語候補を検索語として決定することを特徴とする表示装置。
【請求項５】
請求項４に記載の表示装置において、前記検索語候補抽出手段は、前記記憶手段に記憶された字幕データに対して、該字幕データから検索語候補を抽出する方法を変更可能としたことを特徴とする表示装置。
【請求項６】
請求項５に記載の表示装置において、前記検索語候補抽出手段は、前記字幕データから自立語単位，単語単位，文節単位，文単位のいずれかの抽出方法で検索語候補を抽出することを特徴とする表示装置。
【請求項７】
請求項１乃至６のいずれか１項に記載の表示装置において、前記ＯＳＤ上でユーザ選択された検索語に基づいて、ユーザにより指定された検索先で検索を行う検索手段を備え、
該検索手段による検索結果を画面上に表示することを特徴とする表示装置。
【請求項８】
請求項７に記載の表示装置において、前記ＯＳＤ手段は、前記検索手段により検索可能な複数の検索先をユーザ選択可能にＯＳＤ表示することを特徴とする表示装置。
【請求項９】
請求項７又は８に記載の表示装置において、前記検索先は、ネットワーク上の検索サイトであることを特徴とする表示装置。
【請求項１０】
請求項７又は８に記載の表示装置において、前記検索先は、前記デジタル放送信号に含まれる番組情報または電子番組表であることを特徴とする表示装置。
【請求項１１】
請求項７又は８に記載の表示装置において、前記検索先は、ネットワーク上でビデオ・オン・デマンドサービスを提供するサイトであることを特徴とする表示装置。
【請求項１２】
請求項１乃至６のいずれか１項に記載の表示装置において、ユーザが使用する携帯端末とネットワークを介して接続可能とし、前記ＯＳＤ上でユーザ選択された検索語を、電子メールにより前記携帯端末に送信することを特徴とする表示装置。
【請求項１３】
デジタル放送信号を受信する機能を備えた表示装置による検索語抽出方法であって、
前記表示装置が、字幕データを含むデジタル放送信号を受信する受信ステップと、該受信したデジタル放送信号から字幕データを抽出する字幕データ抽出ステップと、該抽出した字幕データから検索語候補を抽出する検索語候補抽出ステップと、該抽出した検索語候補を記憶する記憶ステップと、前記デジタル放送信号の番組視聴中にユーザからの検索要求を受け付ける検索要求受付ステップと、該検索要求を受け付けたときの前記字幕データの時間軸上の位置に基づいて前記記憶ステップで記憶した検索語候補の中から少なくとも１つの検索語候補を抽出しユーザ選択可能にＯＳＤ表示するＯＳＤ表示ステップとを備え、
前記ＯＳＤ上でユーザ選択された検索語候補を検索語として決定することを特徴とする検索語抽出方法。
【請求項１４】
デジタル放送信号を受信する機能を備えた表示装置による検索語抽出方法であって、
前記表示装置が、字幕データを含むデジタル放送信号を受信する受信ステップと、該受信したデジタル放送信号から字幕データを抽出する字幕データ抽出ステップと、該抽出した字幕データを記憶する記憶ステップと、前記デジタル放送信号の番組視聴中にユーザからの検索要求を受け付ける検索要求受付ステップと、該検索要求を受け付けたときの前記字幕データの時間軸上の位置に基づいて該字幕データから検索語候補を抽出する検索語候補抽出ステップと、該抽出した検索語候補をユーザ選択可能にＯＳＤ表示するＯＳＤ表示ステップとを備え、
前記ＯＳＤ上でユーザ選択された検索語候補を検索語として決定することを特徴とする検索語抽出方法。
【請求項１５】
請求項１３又は１４に記載の検索語抽出方法において、前記表示装置が、前記ＯＳＤ上でユーザ選択された検索語に基づいて、ユーザにより指定された検索先で検索を行う検索ステップを備え、
該検索ステップによる検索結果を画面上に表示することを特徴とする検索語抽出方法。
【発明の詳細な説明】
【技術分野】
【０００１】
本発明は、表示装置及び検索語抽出方法に関し、より詳細には、字幕データを含むデジタル放送番組を受信し、その字幕データからユーザ所望の検索語を切り出すことができる表示装置及び該装置による検索語抽出方法に関する。
【背景技術】
【０００２】
テレビ放送視聴中において、視聴者は初めて耳にする言葉や気になる人名などを聞くと、調べたくなるものである。そこで、視聴者はパーソナルコンピュータ（ＰＣ）のＷｅｂ検索を利用したり、現在ではインターネットに接続する機能を備えたテレビ受像機も多いので、テレビ受像機からＷｅｂ検索を試みようとする。しかし、ＰＣやテレビ受像機のＷｅｂ画面を起動するのに時間がかかり、調べたい言葉を入力するのが困難であった。また、テレビの音声で聞いただけの話し言葉を検索するので、正確に調べることも難しい。
【０００３】
例えば、特許文献１には、世の中のトレンドを示すキーワードを番組情報や文字情報などから自動的に得て、そのキーワードに関する情報をインターネットから更に検索するインターネット検索装置が記載されている。このインターネット検索装置の場合、テキスト情報入力手段により番組情報、文字放送などから取り込み、テキスト情報記憶手段に記憶されている情報から、単語切り出し手段を用いて単語を切り出し、単語出現頻度計数手段でそれら単語の出現頻度を計数してその出現頻度の高いキーワードをリストアップする。それらキーワードをユーザの指定により検索キーとして選択し、検索キー入力手段によりインターネットの検索エンジンに検索キーを入力して検索させ、関連する情報の検索を自動的に行う。
【特許文献１】特開平１０−６９４９６号公報
【発明の開示】
【発明が解決しようとする課題】
【０００４】
しかしながら、上記特許文献１に記載の発明の場合、トレンドを示すキーワードを自動的に得て、そのキーワードに関する情報をさらに検索することを目的としており、出現頻度の高いキーワードを検索キーとしてインターネットで検索するため、テレビ放送視聴中において、視聴者が初めて耳にするような出現頻度の低いキーワードを検索することは困難であった。
【０００５】
本発明は、上述のごとき実情に鑑みてなされたものであり、テレビ放送視聴中において、視聴者が気になった言葉を字幕データから切り出して、その言葉に関連する情報をインターネット等で検索可能とする表示装置及び該装置による検索語抽出方法を提供すること、を目的とする。
【課題を解決するための手段】
【０００６】
上記課題を解決するために、本発明の第１の技術手段は、字幕データを含むデジタル放送信号を受信する受信手段と、該受信したデジタル放送信号から字幕データを抽出する字幕データ抽出手段と、該抽出した字幕データから検索語候補を抽出する検索語候補抽出手段と、該抽出した検索語候補を記憶する記憶手段と、前記デジタル放送信号の番組視聴中にユーザからの検索要求を受け付ける検索要求受付手段と、該検索要求を受け付けたときの前記字幕データの時間軸上の位置に基づいて前記記憶手段から検索語候補を抽出しユーザ選択可能にＯＳＤ表示するＯＳＤ手段とを備え、前記ＯＳＤ上でユーザ選択された検索語候補を検索語として決定することを特徴としたものである。
【０００７】
第２の技術手段は、第１の技術手段において、前記検索語候補抽出手段は、前記字幕データから自立語単位または単語単位で検索語候補を抽出し、該抽出した検索語候補を所定量ずつ前記記憶手段に記憶・更新することを特徴としたものである。
【０００８】
第３の技術手段は、第１の技術手段において、前記検索語候補抽出手段は、前記字幕データから自立語単位または単語単位で検索語候補を抽出すると共に、前記受信手段で受信された番組のジャンルを該番組の番組情報から取得し、該取得したジャンルに基づいて、前記記憶手段に記憶する検索語候補の量を調整することを特徴としたものである。
【０００９】
第４の技術手段は、字幕データを含むデジタル放送信号を受信する受信手段と、該受信したデジタル放送信号から字幕データを抽出する字幕データ抽出手段と、該抽出した字幕データを記憶する記憶手段と、前記デジタル放送信号の番組視聴中にユーザからの検索要求を受け付ける検索要求受付手段と、該検索要求を受け付けたときの前記字幕データの時間軸上の位置に基づいて該字幕データから検索語候補を抽出する検索語候補抽出手段と、該抽出した検索語候補をユーザ選択可能にＯＳＤ表示するＯＳＤ手段とを備え、前記ＯＳＤ上でユーザ選択された検索語候補を検索語として決定することを特徴としたものである。
【００１０】
第５の技術手段は、第４の技術手段において、前記検索語候補抽出手段は、前記記憶手段に記憶された字幕データに対して、該字幕データから検索語候補を抽出する方法を変更可能としたことを特徴としたものである。
【００１１】
第６の技術手段は、第５の技術手段において、前記検索語候補抽出手段は、前記字幕データから自立語単位，単語単位，文節単位，文単位のいずれかの抽出方法で検索語候補を抽出することを特徴としたものである。
【００１２】
第７の技術手段は、第１乃至第６のいずれか１の技術手段において、前記ＯＳＤ上でユーザ選択された検索語に基づいて、ユーザにより指定された検索先で検索を行う検索手段を備え、該検索手段による検索結果を画面上に表示することを特徴としたものである。
【００１３】
第８の技術手段は、第７の技術手段において、前記ＯＳＤ手段は、前記検索手段により検索可能な複数の検索先をユーザ選択可能にＯＳＤ表示することを特徴としたものである。
【００１４】
第９の技術手段は、第７又は第８の技術手段において、前記検索先は、ネットワーク上の検索サイトであることを特徴としたものである。
【００１５】
第１０の技術手段は、第７又は第８の技術手段において、前記検索先は、前記デジタル放送信号に含まれる番組情報または電子番組表であることを特徴としたものである。
【００１６】
第１１の技術手段は、第７又は第８の技術手段において、前記検索先は、ネットワーク上でビデオ・オン・デマンドサービスを提供するサイトであることを特徴としたものである。
【００１７】
第１２の技術手段は、第１乃至第６のいずれか１の技術手段において、ユーザが使用する携帯端末とネットワークを介して接続可能とし、前記ＯＳＤ上でユーザ選択された検索語を、電子メールにより前記携帯端末に送信することを特徴としたものである。
【００１８】
第１３の技術手段は、デジタル放送信号を受信する機能を備えた表示装置による検索語抽出方法であって、前記表示装置が、字幕データを含むデジタル放送信号を受信する受信ステップと、該受信したデジタル放送信号から字幕データを抽出する字幕データ抽出ステップと、該抽出した字幕データから検索語候補を抽出する検索語候補抽出ステップと、該抽出した検索語候補を記憶する記憶ステップと、前記デジタル放送信号の番組視聴中にユーザからの検索要求を受け付ける検索要求受付ステップと、該検索要求を受け付けたときの前記字幕データの時間軸上の位置に基づいて前記記憶ステップで記憶した検索語候補の中から少なくとも１つの検索語候補を抽出しユーザ選択可能にＯＳＤ表示するＯＳＤ表示ステップとを備え、前記ＯＳＤ上でユーザ選択された検索語候補を検索語として決定することを特徴としたものである。
【００１９】
第１４の技術手段は、デジタル放送信号を受信する機能を備えた表示装置による検索語抽出方法であって、前記表示装置が、字幕データを含むデジタル放送信号を受信する受信ステップと、該受信したデジタル放送信号から字幕データを抽出する字幕データ抽出ステップと、該抽出した字幕データを記憶する記憶ステップと、前記デジタル放送信号の番組視聴中にユーザからの検索要求を受け付ける検索要求受付ステップと、該検索要求を受け付けたときの前記字幕データの時間軸上の位置に基づいて該字幕データから検索語候補を抽出する検索語候補抽出ステップと、該抽出した検索語候補をユーザ選択可能にＯＳＤ表示するＯＳＤ表示ステップとを備え、前記ＯＳＤ上でユーザ選択された検索語候補を検索語として決定することを特徴としたものである。
【００２０】
第１５の技術手段は、第１３又は第１４の技術手段において、前記表示装置が、前記ＯＳＤ上でユーザ選択された検索語に基づいて、ユーザにより指定された検索先で検索を行う検索ステップを備え、該検索ステップによる検索結果を画面上に表示することを特徴としたものである。
【発明の効果】
【００２１】
本発明によれば、テレビ放送視聴中において、視聴者が気になった言葉を字幕データから切り出して、その言葉に関連する情報をインターネット等で検索することができるため、視聴者が初めて耳にするような言葉や気になる人名などを正確に且つ簡単に検索することができる。
【発明を実施するための最良の形態】
【００２２】
以下、添付図面を参照しながら、本発明の表示装置及び該装置による検索語抽出方法に係る好適な実施の形態について説明する。
【００２３】
図１は、本発明の一実施形態に係る表示装置の構成例を示すブロック図で、図中、１は表示装置の代表例としてテレビ装置を示す。テレビ装置１は、アンテナ１０１を介してデジタル放送信号を受信するデジタル放送用チューナ１０２と、デジタル放送用チューナ１０２で受信したデジタル放送信号をデコードしてＡＶ（映像音声）データと情報データとに分離するＴＳデコーダ１０３と、字幕データから複数の検索語候補を抽出する検索語候補抽出部１０４と、ＴＳデコーダ１０３で分離されたＡＶデータをさらに映像データと音声データとに分離出力するＡＶデコーダ１０５とを備える。
【００２４】
さらに、テレビ装置１は、ＡＶデコーダ１０５からの映像データとＯＳＤ生成部１０９で生成したＯＳＤ（オン・スクリーン・ディスプレイ）データとを合成する映像合成部１０６と、ＬＣＤ（Liquid Crystal Display）などで構成される表示部１０７と、ＴＳデコーダ１０３で分離された情報データから字幕データや，番組情報，電子番組表などを抽出する情報抽出部１０８と、ＯＳＤを生成・表示出力するＯＳＤ生成部１０９と、リモコンＲからの操作信号を受信するリモコン受信部１１０と、テレビ装置１の全体を制御するためのＣＰＵ，ＲＯＭ，ＲＡＭ等で構成される制御部１１１と、ＡＶデコーダ１０５からの音声データを音声出力するスピーカなどの音声出力部１１２と、不揮発性メモリやハードディスクなどで構成される情報記憶部１１３と、インターネットなどのネットワークに接続するためのインターネット接続部１１４とを備える。
【００２５】
（第１の実施形態）
本発明の主たる特徴部分は、テレビ放送視聴中において、視聴者が気になった言葉を字幕データから切り出して、その言葉に関連する情報をインターネット等で検索可能とすることである。このための構成として、テレビ装置１は、字幕データを含むデジタル放送信号を受信する受信手段に相当するデジタル放送用チューナ１０２と、受信したデジタル放送信号から字幕データを抽出する字幕データ抽出手段に相当する情報抽出部１０８と、該抽出した字幕データから検索語候補を抽出する検索語候補抽出手段に相当する検索語候補抽出部１０４と、抽出した検索語候補を記憶する記憶手段に相当する情報記憶部１１３と、デジタル放送信号の番組視聴中にユーザ（視聴者）からの検索要求を受け付ける検索要求受付手段に相当するリモコン受信部１１０と、検索要求を受け付けたときの字幕データ時間軸上の位置に基づいて情報記憶部１１３から検索語候補を抽出しユーザ選択可能にＯＳＤ表示するＯＳＤ手段に相当するＯＳＤ生成部１０９とを備える。このＯＳＤ上でユーザ選択された検索語候補が検索語として決定される。
【００２６】
図２は、テレビ装置１における画面の遷移例を示す図である。図２（Ａ）において、視聴者は字幕データを含むデジタル放送番組を視聴しているものとする。この字幕データはデジタル放送番組の音声をテキスト化したテキストデータであり、放送局側でデジタル放送信号に付加されて送信される。例えば、テレビ装置１では、「今日はハスカップのシャーベットをご紹介・・・」という言葉が音声出力されており、この言葉に対応する字幕データを表示している。この字幕データを画面上に表示させるかどうかは視聴者によって任意に設定できるものとする。
【００２７】
視聴者は、図２（Ａ）に示す画面例において、字幕放送を視聴中に、「ハスカップ」という言葉が気になり、その意味などを調べたいと思った場合、リモコンＲに設けられた「検索ボタン」を押下する。これにより、検索要求信号がリモコンＲからテレビ装置１に送信される。
一方、テレビ装置１の検索語候補抽出部１０４は、字幕データから複数の検索語候補を抽出する。例えば、検索語候補抽出部１０４は、字幕データから自立語単位または単語単位で検索語候補を抽出する。これにより、字幕データを全て記憶しなくてすむため、情報記憶部１１３の記憶領域を有効に利用することができる。
【００２８】
本例では、「今日はハスカップのシャーベットをご紹介・・・」という字幕データから、検索語候補として、自立語である「今日」，「ハスカップ」，「シャーベット」，「ご紹介」が抽出される。これら検索語候補は情報記憶部１１３に記憶される。なお、検索語候補抽出部１０４により抽出された各検索語候補は、字幕データの時間軸上の位置に対応付けられて記憶される。このため、テレビ装置１は、リモコンＲからの検索要求を受け付けたときに、受け付け時点の字幕データの時間軸上の位置に基づいて、情報記憶部１１３に記憶された検索語候補を特定することが可能となる。
【００２９】
ここで、検索語候補抽出部１０４が抽出した検索語候補を全て情報記憶部１１３に記憶してもよいが、この場合、情報記憶部１１３の記憶領域を占有してしまうことが考えられる。そこで、情報記憶部１１３に、検索語候補抽出部１０４が抽出した検索語候補を所定量ずつ記憶・更新するようにしてもよい。例えば、所定時間（１５秒など）に含まれる検索語候補を単位として記憶・更新する。また、所定数（５０語など）の検索語候補を単位として記憶・更新してもよい。これにより、情報記憶部１１３には常に決まった量の検索語候補が記憶・更新されるため、情報記憶部１１３の記憶領域を有効に利用することができる。
【００３０】
また、番組の放送内容等によって検索語候補の記憶量を調整するようにしてもよい。現在の字幕放送の特徴として、ニュース番組などのようなライブ番組は、映像（音声）よりも字幕が送信されるタイミングが遅れることが多い。一方、ドラマや映画の字幕データは映像（音声）と略一致している。前者のように、字幕が映像（音声）よりも遅れる場合には、視聴者が耳で聞いて検索したいと思い、リモコンＲの検索ボタンを押下するまで少し余裕を持つことができる。しかし、後者のように、字幕が映像（音声）と一致している番組の場合にはあまり余裕がないため、検索語候補の記憶量を多くしたほうが望ましい。
【００３１】
そこで、検索語候補抽出部１０４は、デジタル放送用チューナ１０２で受信された番組のジャンルをその番組の番組情報から取得し、取得したジャンルに基づいて、情報記憶部１１３に記憶する検索語候補の量を調整する。このような構成により、番組のジャンルに基づいて、当該番組がライブ放送番組かどうか等で、字幕データと音声信号とのずれがあるかどうかを判定し、ずれが少ない（ライブ以外等）番組であると判定した場合、検索語候補の記憶量を、ずれが大きい（ライブ等）番組の場合の検索語候補の記憶量よりも多くする。
また、上記ジャンル以外にも、ユーザ設定等により検索語候補の記憶量を調整してもよい。
【００３２】
ＯＳＤ生成部１０９は、リモコン受信部１１０でリモコンＲからの検索要求を受け付けると、情報記憶部１１３に記憶された複数の検索語候補をユーザ選択するための検索語選択画面を生成して、表示部１０７にＯＳＤ表示させる。このときの画面例を図２（Ｂ）に示す。
【００３３】
図２（Ｂ）において、テレビ装置１の制御部１１１は、リモコンＲからの検索要求を受け付けたときに、その受け付け時点の字幕データの時間軸上の位置に対応した検索語候補を特定する。なお、視聴者は「ハスカップ」という言葉を聞いてから、リモコンＲの検索ボタンを押下するため、テレビ装置１では、「ハスカップ」よりも時間的に後の言葉を検索語候補として特定することが考えられる。このため、ＯＳＤ生成部１０９は、制御部１１１が特定した検索語候補を含む複数の検索語候補を情報記憶部１１３から抽出して検索語選択画面に表示するほうが望ましい。
【００３４】
本例では、視聴者は「ハスカップ」を検索したいが、リモコンＲからの検索要求を受け付けたときの字幕データの時間軸上の位置に基づき、検索語候補として「ご紹介」が特定され、これより前の検索語候補として、「今日」、「ハスカップ」、「シャーベット」を表示する。もちろん、「ご紹介」よりも時間的に後の言葉を検索語候補としてもよい。表示させる検索語候補の数は特に限定するものではないが、視聴者が検索したい検索語を含むことができるように、ある程度の数の検索語候補を表示することが望ましい。
【００３５】
また、検索語候補の数が多く、一度に画面表示し切れない場合には、ＯＳＤ生成部１０９は、検索語候補を所定数毎にスクロール表示してもよい。この場合、スクロールバーなどを画面に表示し、リモコンＲの上下ボタンを操作することで、視聴者が検索したい検索語候補を含む全ての検索語候補を選択可能とすることができる。
【００３６】
図２（Ｂ）に示す画面例の場合、テレビ装置１はリモコン受信部１１０で検索要求を受け付けると、左右２画面表示に切り換え、左側に引き続き字幕放送の番組画面を表示し、右側に検索語選択画面を表示する。視聴者は、検索語選択画面の検索語候補一覧に対して、リモコンＲの上下ボタンを操作して調べたい検索語（ここでは「ハスカップ」）にフォーカスを当てる。なお、本例ではフォーカスが当たった検索語に下線が引かれるものとする。このときの画面例を図２（Ｃ）に示す。
【００３７】
図２（Ｃ）に示す画面例の場合、視聴者は、検索語選択画面上で「ハスカップ」を選択した状態のまま、リモコンＲの決定ボタンを押下してテレビ装置１に決定指示する。テレビ装置１はリモコン受信部１１０で決定指示を受け付けると、「ハスカップ」が検索語として決定され、ＯＳＤ生成部１０９はこの「ハスカップ」と共に、ユーザが検索先を選択するための検索先選択画面を表示部１０７に表示させる。このときの画面例を図２（Ｄ）に示す。
【００３８】
図２（Ｄ）に示す画面例の場合、視聴者は、検索先選択画面に対して、リモコンＲの上下左右ボタンを操作して検索先（ここでは「Ｗｅｂ」）にフォーカスを当てる。そして、視聴者は、検索先選択画面上で「Ｗｅｂ」を選択した状態のまま、リモコンＲの決定ボタンを押下してテレビ装置１に決定指示する。テレビ装置１はリモコン受信部１１０で決定指示を受け付けると、「Ｗｅｂ」を検索先として決定する。そして、制御部１１１による制御に基づいて、インターネット接続部１１４がＷｅｂブラウザを起動して予め指定されたインターネット上の検索サイトにアクセスし、この検索サイトの画面を表示部１０７に表示させる。この検索サイトの検索語入力欄には、検索語として決定された「ハスカップ」が自動的にセットされている。このときの画面例を図２（Ｅ）に示す。なお、複数の検索サイトを検索先として指定してもよい。
【００３９】
図２（Ｅ）に示す画面例の場合、テレビ装置１がアクセスした検索サイトの検索語入力欄に検索語として「ハスカップ」がセットされた状態を示し、視聴者は、この検索サイトの画面に対して、リモコンＲを操作して、画面上の「検索」にフォーカスを当ててリモコンＲの決定ボタンを押下する。そうすると、検索サイトが検索を開始し、検索結果を表示部１０７に表示する。
【００４０】
上記の例は、字幕放送の視聴中に、番組で聞いた言葉をインターネットで検索する場合について示したもので、図２（Ｅ）の画面以降は通常のインターネットＴＶと同様の操作であるため、その説明を省略するものとする。また、検索先をインターネット固定にした場合、図２（Ｄ）に示す検索先選択画面を省略することができる。また、図２（Ｂ），（Ｃ）に示す検索語選択画面を、図２（Ｅ）に示すブラウザ画面で兼ねるようにしてもよい。すなわち、図２（Ｅ）に示すブラウザ画面の検索語入力欄に複数の検索語候補を挿入し、これに対して、リモコンＲの上下ボタンを操作して検索語を選択することも可能である。この場合、図２（Ｂ），（Ｃ）に示す検索語選択画面を省略することができる。
【００４１】
図２（Ｂ），（Ｃ）に示す検索語候補の一覧（検索語選択画面）には、検索語候補抽出部１０４で抽出された自立語を例示している。この検索語候補の抽出は自立語以外であってもよく、例えば、単語単位（今日／は／ハスカップ／の／シャーベット／を／ご紹介）、文節単位（今日は／ハスカップの／シャーベットを／ご紹介）、全て（今日はハスカップのシャーベットをご紹介）などで抽出してもよい。
【００４２】
また、図２の例では画面左半分に字幕放送の番組を表示し続け、画面右半分には検索語選択画面，検索先選択画面，ブラウザ画面を表示しているが、画面右半分の検索語選択画面，検索先選択画面，ブラウザ画面を全画面表示にしてもよい。また、画面を上下２分割にして、画面下半分あるいは上半分に検索語選択画面，検索先選択画面，ブラウザ画面を表示してもよい。
【００４３】
本実施形態のテレビ装置１の場合、制御部１１１が、ＯＳＤ画面（検索語選択画面）上でユーザ選択された検索語に基づいて、ユーザにより指定された検索先で検索を行う検索手段として機能し、制御部１１１による検索結果を表示部１０７の画面上に表示する。なお、上記例の場合、検索先として、インターネットなどのネットワーク上の検索サイトを指定したが、これ以外であってもよい。例えば、デジタル放送に含まれる番組情報や電子番組表などを検索先として指定してもよい。これらの番組情報や電子番組表は、デジタル放送信号から取得され、情報記憶部１１３に記憶される。この場合、テレビ装置１は、情報記憶部１１３に記憶された番組情報や電子番組表から、検索語を含む番組を検索することができる。例えば、バラエティ番組を見ているときに、ドラマ番組の宣伝などがあった場合、そのドラマ番組の番組名を検索語として電子番組表を検索する。これにより、ドラマ番組の視聴予約や録画予約を行ったり、ドラマ番組に関する番組情報を見ることが可能となる。
【００４４】
また、インターネットなどのネットワーク上でビデオ・オン・デマンド（ＶＯＤ）サービスを提供するサイトを検索先として指定してもよい。この場合、テレビ装置１は、ネットワーク上のＶＯＤサービス提供サイトから、検索語を含むビデオタイトルを検索することができる。例えば、映画俳優のインタビュー番組を見ているときに、その俳優の名前を検索語としてＶＯＤを検索する。これにより、映画俳優の出演作品などが検索できるため、出演作品一覧などを表示することが可能となる。
【００４５】
また、テレビ装置１と、携帯電話機やＰＤＡ（Personal Digital Assistant）等の携帯端末とをネットワークを介して接続可能とした場合、テレビ装置１は字幕データから抽出した検索語を電子メールなどで携帯端末に送信するようにしてもよい。例えば、テレビ番組内で新刊本の紹介があったときに、その本のタイトルをテレビ装置１から電子メールで携帯電話機に送っておく。ユーザは書店に行った際に、携帯電話機に記憶してある本のタイトルを見て、その本を探すことができる。また、番組視聴中において、面白い言葉や気に入ったセリフなどをメモする感覚で、字幕データから言葉を抽出して、携帯電話機などに送信するようにしてもよい。
【００４６】
ここで、検索語候補抽出部１０４による抽出方法としては各種考えられるが、前述したとおり、例えば、字幕データから自立語を抽出する、字幕データから単語を抽出する、字幕データの文節で区切って抽出する、字幕データのままで一定量だけ抽出する、などの方法が適用可能である。
【００４７】
また、ＯＳＤ生成部１０９は図２（Ｂ），（Ｃ）に示したような検索語選択画面を生成・表示するが、検索語候補抽出部１０４により抽出された言葉を図２（Ｂ），（Ｃ）のようにブロック単位で表示してもよいし、順番に１つずつ表示してもよい。また、検索語選択画面の表示領域の大きさに応じて、１つ〜全ての言葉を表示してもよい。また、検索したい言葉が番組内に出てきた時間帯をユーザに設定させ、字幕データに付加されている時間データに基づいて、ユーザに設定された時間帯の言葉を選択・表示するようにしてもよい。
【００４８】
次に、図２（Ｂ），（Ｃ）に示す検索語選択画面における検索語選択方法の他の例について説明する。
例えば、ユーザは、検索語選択画面上に１つずつ表示される単語や文節をリモコンＲの上下キーなどで送り、所望の検索語が表示された状態でリモコンＲの決定ボタンを押下して検索語を選択するようにしてもよい。
また、検索語選択画面上に単語や文節が一覧表示された状態でリモコンＲの十字キーなどでフォーカスを移動させ、所望の検索語にフォーカスが当たった状態でリモコンＲの決定ボタンを押下して検索語を選択するようにしてもよい。
また、検索語選択画面上に一定量の字幕データを表示させた状態でリモコンＲの十字キー及び決定キーで始点と終点をマーキングして検索語を選択するようにしてもよい。
【００４９】
図３は、本発明のテレビ装置１による検索処理の一例を説明するためのフロー図である。本例では各ステップについて図２の画面例を対応させながら説明するものとする。
まず、テレビ装置１は、図２（Ａ）に示すように、デジタル放送用チューナ１０２で字幕放送を受信する（ステップＳ１）。検索語候補抽出部１０４は字幕データより単語や自立語の単位で複数の検索語候補を抽出し（ステップＳ２）、抽出した複数の検索語候補を情報記憶部１１３に記憶する（ステップＳ３）。
【００５０】
テレビ装置１は、リモコン受信部１１０でリモコンＲの検索ボタンが押下されたかどうかを判定し（ステップＳ４）、リモコンＲの検索ボタンが押下された場合（ＹＥＳの場合）、テレビ装置１のＯＳＤ生成部１０９は、リモコンＲからの検索要求に応じて、制御部１１１が特定した検索語候補を含む複数の検索語候補を選択可能に表示する検索語選択画面を生成し（ステップＳ５）、図２（Ｂ）に示すように、この検索語選択画面を表示部１０７に表示する（ステップＳ６）。一方、ステップＳ４において、リモコンＲの検索ボタンが押下されない場合（ＮＯの場合）、ステップＳ４でリモコンＲの検索ボタンの入力待ちに移行する。
【００５１】
テレビ装置１は、リモコン受信部１１０でリモコンＲの上下ボタンが押下されたどうかを判定し（ステップＳ７）、リモコンＲの上下ボタンが押下された場合（ＹＥＳの場合）、図２（Ｃ）に示すようにフォーカス表示を移動し（ステップＳ８）、一方、リモコンＲの上下ボタンが押下されない場合（ＮＯの場合）、ステップＳ９に移行する。
【００５２】
テレビ装置１は、ステップＳ９において、リモコン受信部１１０でリモコンＲの決定ボタンが押下されたかどうかを判定し、リモコンＲの決定ボタンが押下された場合（ＹＥＳの場合）、フォーカスの当っている単語を検索語とする（ステップＳ１０）。一方、リモコンＲの決定ボタンが押下されない場合（ＮＯの場合）、ステップＳ７に戻り処理を繰り返す。
【００５３】
次に、テレビ装置１のＯＳＤ生成部１０９は、図２（Ｄ）に示すような検索先選択画面を生成し、これを表示部１０７に表示する（ステップＳ１１）。そして、テレビ装置１は、リモコン受信部１１０でリモコンＲの上下左右ボタンが押下されたかどうかを判定し（ステップＳ１２）、リモコンＲの上下左右ボタンが押下された場合（ＹＥＳの場合）、フォーカス表示を移動し（ステップＳ１３）、一方、リモコンＲの上下左右ボタンが押下されない場合（ＮＯの場合）、ステップＳ１４に移行する。
【００５４】
テレビ装置１は、ステップＳ１４において、リモコン受信部１１０でリモコンＲの決定ボタンが押下されたかどうかを判定し、リモコンＲの決定ボタンが押下された場合（ＹＥＳの場合）、選択された検索先（インターネット上の検索エンジンなど）に接続し（ステップＳ１５）、図２（Ｅ）に示すように、検索先画面（ブラウザ画面）に検索語を入れた状態で表示する（ステップＳ１６）。一方、ステップＳ１４において、リモコンＲの決定ボタンが押下されない場合（ＮＯの場合）、ステップＳ１２に戻り処理を繰り返す。なお、検索先をインターネットに固定した場合、ステップＳ１１〜Ｓ１４の一連のステップを省略することができる。
【００５５】
（第２の実施形態）
本実施形態では、情報記憶部１１３が、情報抽出部１０８により抽出された字幕データをすべて記憶する。この場合、リモコン信号受信部１１０が、情報記憶部１１３に記憶された番組の視聴中にユーザからの検索要求を受け付けると、検索語候補抽出部１０４は、検索要求を受け付けたときの字幕データの時間軸上の位置に基づいて字幕データから１つ以上の検索語候補を抽出する。検索語候補の抽出方法は、一定数でもよいし、一定時間であってもよい。本実施形態の場合、視聴者は、番組視聴中すぐに検索しなくても、番組終了後にゆっくり検索することができる。
【００５６】
また、本実施形態の場合、情報記憶部１１３に全ての字幕データを一旦記憶するために、検索語候補抽出部１０４は、情報記憶部１１３に記憶された字幕データに対して、１つ以上の検索語候補の抽出方法を変更することができる。これについて以下の図４に基づいて説明する。
【００５７】
図４は、本発明のテレビ装置１による検索処理の他の例を説明するためのフロー図である。本例では各ステップについて図２の画面例を対応させながら説明するものとする。
まず、テレビ装置１は、図２（Ａ）に示すように、デジタル放送用チューナ１０２で字幕放送を受信し（ステップＳ２１）、字幕データを情報記憶部１１３に記憶する（ステップＳ２２）。
【００５８】
テレビ装置１は、リモコン受信部１１０でリモコンＲの検索ボタンが押下されたかどうかを判定し（ステップＳ２３）、リモコンＲの検索ボタンが押下された場合（ＹＥＳの場合）、検索語候補抽出部１０４は、検索要求を受け付けたときの字幕データの時間軸上の位置に基づいて字幕データから１つ以上の単語を検索語候補として抽出する（ステップＳ２４）、一方、ステップＳ２３において、リモコンＲの検索ボタンが押下されない場合（ＮＯの場合）、ステップＳ２３でリモコンＲの検索ボタンの入力待ちに移行する。
【００５９】
次に、テレビ装置１のＯＳＤ生成部１０９は、図２（Ｂ）に示すように、検索語候補を選択可能に表示するための検索語選択画面を生成し（ステップＳ２５）、これを表示部１０７に表示する（ステップＳ２６）。
テレビ装置１は、画面上に表示された検索語抽出モードの変更ボタンがリモコンＲによって選択指示されたかどうかを判定し（ステップＳ２７）、変更ボタンが選択指示された場合（ＹＥＳの場合）、検索語候補抽出部１０４の検索語抽出モードを変更し（ステップＳ２８）、ステップＳ２４に戻り処理を繰り返す。一方、ステップＳ２７において、変更ボタンが選択指示されない場合（ＮＯの場合）、ステップＳ２９に移行する。
【００６０】
テレビ装置１は、リモコン受信部１１０でリモコンＲの上下ボタンが押下されたどうかを判定し（ステップＳ２９）、リモコンＲの上下ボタンが押下された場合（ＹＥＳの場合）、図２（Ｃ）に示すようにフォーカス表示を移動し（ステップＳ３０）、一方、リモコンＲの上下ボタンが押下されない場合（ＮＯの場合）、ステップＳ３１に移行する。
【００６１】
テレビ装置１は、ステップＳ３１において、リモコン受信部１１０でリモコンＲの決定ボタンが押下されたかどうかを判定し、リモコンＲの決定ボタンが押下された場合（ＹＥＳの場合）、フォーカスの当っている単語を検索語とする（ステップＳ３２）。一方、リモコンＲの決定ボタンが押下されない場合（ＮＯの場合）、ステップＳ２９に戻り処理を繰り返す。
【００６２】
次に、テレビ装置１のＯＳＤ生成部１０９は、図２（Ｄ）に示すような検索先選択画面を生成し、これを表示部１０７に表示する（ステップＳ３３）。そして、テレビ装置１は、リモコン受信部１１０でリモコンＲの上下左右ボタンが押下されたかどうかを判定し（ステップＳ３４）、リモコンＲの上下左右ボタンが押下された場合（ＹＥＳの場合）、フォーカス表示を移動し（ステップＳ３５）、一方、リモコンＲの上下左右ボタンが押下されない場合（ＮＯの場合）、ステップＳ３６に移行する。
【００６３】
テレビ装置１は、ステップＳ３６において、リモコン受信部１１０でリモコンＲの決定ボタンが押下されたかどうかを判定し、リモコンＲの決定ボタンが押下された場合（ＹＥＳの場合）、選択された検索先（インターネット上の検索エンジンなど）に接続し（ステップＳ３７）、図２（Ｅ）に示すように、検索先画面（ブラウザ画面）に検索語を入れた状態で表示する（ステップＳ３８）。一方、ステップＳ３６において、リモコンＲの決定ボタンが押下されない場合（ＮＯの場合）、ステップＳ３４に戻り処理を繰り返す。なお、検索先をインターネットに固定した場合、ステップＳ３３〜Ｓ３６の一連のステップを省略することができる。
【００６４】
上記の図３と図４に例示したフローにおいて、両方共に、放送視聴中に、番組で聞いた言葉をインターネット検索する場合について説明したものであるが、検索語候補の抽出タイミングが異なっている。図３の例の場合、字幕データから即座に検索語候補を抽出して記憶することを想定しているのに対して、図４の例の場合、字幕データを加工しないで一旦記憶し、記憶した字幕データから検索語候補を抽出して表示することを想定している。
【００６５】
このため、図３の例の場合、検索語候補の抽出単位を予め単語や自立語にしておき、所定数あるいは所定時間分の検索語候補を抽出するため、全ての字幕データを記憶しなくてすむ。このため、情報記憶部１１３の記憶領域を有効に利用することができる。
一方、図４の例の場合、情報記憶部１１３に一旦全ての字幕データを記憶しておき、ユーザ指示を受けてから検索語候補を抽出する。このため、再度字幕データを利用することができ、検索語候補抽出部１０４による検索語候補の抽出方法を変更することができる。
【００６６】
図５は、検索語候補抽出部１０４による検索語候補抽出方法毎の画面例を説明するための図である。図５（Ａ）は字幕データから自立語単位で検索語候補を抽出した場合の画面例を示し、図５（Ｂ）は字幕データから文節単位で検索語候補を抽出した場合の画面例を示す。視聴者が、リモコンＲを操作して、画面右下の「変更ボタン」を選択指示すると、検索語候補抽出モードが切り換わり、図５（Ａ）から図５（Ｂ）に画面が変更される。
【００６７】
図６は、テレビ装置１に対するユーザ操作の流れの一例を説明するためのフロー図である。
まず、視聴者は、図２（Ａ）に示したように、テレビ装置１で字幕放送を視聴中に（ステップＳ４１）、調べたい言葉を聞くと（ステップＳ４２）、リモコンＲの検索ボタンを押下する（ステップＳ４３）。そして、視聴者は、図２（Ｂ），（Ｃ）に示した画面に対して、リモコンＲの上下ボタンを操作して、調べたい言葉を選定し（ステップＳ４４）、所望の言葉にフォーカスがあった場合に（ステップＳ４５のＹＥＳの場合）、リモコンＲの決定ボタンを押下する（ステップＳ４６）。また、ステップＳ４５のＮＯの場合、ステップＳ４４に戻り処理を繰り返す。
【００６８】
次に、視聴者は、図２（Ｄ）に示した画面に対して、リモコンＲの上下（左右）ボタンを操作して、検索先を選定し（ステップＳ４７）、所望の言葉にフォーカスがあった場合に（ステップＳ４８のＹＥＳの場合）、リモコンＲの決定ボタンを押下する（ステップＳ４９）。また、ステップＳ４８のＮＯの場合、ステップＳ４６に戻り処理を繰り返す。
【００６９】
図７は、図３に示した処理フローをシーケンスで説明するための図である。
視聴者は、テレビ装置１で字幕放送の視聴中に（Ｓ５１）、気になる言葉を聞くと（Ｓ５２）、リモコンＲの検索ボタンを押下する（Ｓ５３）。リモコンＲは、検索ボタンの押下に応じて操作信号をテレビ装置１に送信する（Ｓ５４）。
【００７０】
一方、テレビ装置１は、字幕放送を受信し（Ｓ５５）、字幕データから単語を抽出し（Ｓ５６）、抽出した単語を記憶する（Ｓ５７）。そして、テレビ装置１は、リモコンＲからの操作信号を受信することにより、リモコンＲの検索ボタンが押下されたことを認識し（Ｓ５８）、このときの字幕データの時間軸上の位置に基づいて複数の検索語候補を抽出して検索語選択画面を生成し（Ｓ５９）、これを表示する（Ｓ６０）。
【００７１】
視聴者は、テレビ装置１からの検索語選択画面を確認し（Ｓ６１）、リモコンＲの上下ボタンを操作して検索語候補の中から検索語を選定する（Ｓ６２）。リモコンＲは、上下ボタンの押下に応じて操作信号をテレビ装置１に送信する（Ｓ６３）。そして、テレビ装置１は、リモコンＲからの操作信号を受信することにより、リモコンＲの上下ボタンが押下されたことを認識し（Ｓ６４）、検索語選択画面を再表示する（Ｓ６５）。
【００７２】
視聴者は、テレビ装置１からの検索語選択画面の再表示を確認し（Ｓ６６）、リモコンＲの決定ボタンを操作して検索語を決定する（Ｓ６７）。リモコンＲは、決定ボタンの押下に応じて操作信号をテレビ装置１に送信する（Ｓ６８）。そして、テレビ装置１は、リモコンＲからの操作信号を受信することにより、検索語を決定し（Ｓ６９）、検索先選択画面を生成し、これを表示する（Ｓ７０）。
【００７３】
視聴者は、テレビ装置１からの検索先選択画面を確認し（Ｓ７１）、リモコンＲの上下ボタンを操作して検索先候補の中から検索先を選定する（Ｓ７２）。リモコンＲは、上下ボタンの押下に応じて操作信号をテレビ装置１に送信する（Ｓ７３）。そして、テレビ装置１は、リモコンＲからの操作信号を受信することにより、リモコンＲの上下ボタンが押下されたことを認識し（Ｓ７４）、検索先選択画面のフォーカスを移動させる（Ｓ７５）。
【００７４】
視聴者は、テレビ装置１からの検索先選択画面の表示を確認し（Ｓ７６）、リモコンＲの決定ボタンを操作して検索先を決定する（Ｓ７７）。リモコンＲは、決定ボタンの押下に応じて操作信号をテレビ装置１に送信する（Ｓ７８）。そして、テレビ装置１は、リモコンＲからの操作信号を受信することにより、検索先を決定し（Ｓ７９）、検索先に接続し（Ｓ８０）、検索画面に検索語を入れて表示する（Ｓ８１）。
【図面の簡単な説明】
【００７５】
【図１】本発明の一実施形態に係る表示装置の構成例を示すブロック図である。
【図２】テレビ装置における検索画面の遷移例を示す図である。
【図３】本発明のテレビ装置による検索処理の一例を説明するためのフロー図である。
【図４】本発明のテレビ装置による検索処理の他の例を説明するためのフロー図である。
【図５】検索語候補抽出部による検索語候補抽出方法毎の画面例を説明するための図である。
【図６】テレビ装置に対するユーザ操作の流れの一例を説明するためのフロー図である。
【図７】図３に示した処理フローをシーケンスで説明するための図である。
【符号の説明】
【００７６】
１…表示装置（テレビ装置）、１０１…アンテナ、１０２…デジタル放送用チューナ、１０３…ＴＳデコーダ、１０４…検索語候補抽出部、１０５…ＡＶデコーダ、１０６…映像合成部、１０７…表示部、１０８…情報抽出部、１０９…ＯＳＤ生成部、１１０…リモコン受信部、１１１…制御部、１１２…音声出力部、１１３…情報記憶部、１１４…インターネット接続部。
【図１】
2009141858.tif 000003
【図２】
2009141858.tif 000004
【図３】
2009141858.tif 000005
【図４】
2009141858.tif 000006
【図５】
2009141858.tif 000007
【図６】
2009141858.tif 000008
【図７】
2009141858.tif 000009